(57)【要約】      （修正有）【課題】電池を電源とした誘導音の出力動作をより長く継続させることができる音響装置、非常用装置、及びプログラムを提供する。【解決手段】音響装置１は、電池７０を電源とし、スピーカ２１へ負荷電力を供給してスピーカ２１から音を出力させる駆動回路１２と、駆動回路を制御して負荷電力を調整する制御回路１３と、を備える。駆動回路が負荷電力の供給を開始してから所定時間が経過するまでの期間が第１期間であり、第１期間以降の所定期間が第２期間である。制御回路は、第２期間における負荷電力の平均値を第１期間における負荷電力の平均値より小さくするように、駆動回路を制御する。【選択図】図３
2020004129.tif 000002
【特許請求の範囲】
【請求項１】
電池を電源とし、スピーカへ負荷電力を供給して前記スピーカから音を出力させる駆動回路と、
前記駆動回路を制御して前記負荷電力を調整する制御回路と、を備え、
前記駆動回路が前記負荷電力の供給を開始してから所定時間が経過するまでの期間が第１期間であり、前記第１期間以降の所定期間が第２期間であり、
前記制御回路は、前記第２期間における前記負荷電力の平均値を前記第１期間における前記負荷電力の平均値より小さくするように、前記駆動回路を制御する
音響装置。
【請求項２】
前記音には対象音が含まれており、
前記制御回路は、前記第２期間における前記対象音の音圧レベルを、前記第１期間における前記対象音の音圧レベルより小さくするように、前記駆動回路を制御する
請求項１記載の音響装置。
【請求項３】
前記制御回路は、前記第２期間において、前記電池の残容量が少ないほど、前記対象音の音圧レベルを減少させる
請求項２記載の音響装置。
【請求項４】
前記音は、前記対象音である音声と、非対象音である警報音とを含む
請求項２又は３記載の音響装置。
【請求項５】
前記制御回路は、前記スピーカから前記音を間欠的に出力させ、前記第２期間における前記音の出力周期を前記第１期間における前記出力周期より長くするように、前記駆動回路を制御する
請求項１記載の音響装置。
【請求項６】
前記制御回路は、前記第２期間において、前記電池の残容量が少ないほど、前記出力周期を長くする
請求項５記載の音響装置。
【請求項７】
請求項１乃至６のいずれか一項に記載の音響装置と、
電池と、
スピーカと、
前記音響装置、前記電池、及び前記スピーカのうち少なくとも前記音響装置を収容する筐体と、を備える、
非常用装置。
【請求項８】
電池を電源とし、スピーカへ負荷電力を供給して前記スピーカから音を出力させる駆動回路に組み合わされるコンピュータが実行するプログラムであって、
前記駆動回路が前記負荷電力の供給を開始してから所定時間が経過するまでの期間が第１期間であり、前記第１期間以降の所定期間が第２期間であり、
前記コンピュータに
前記第２期間における前記負荷電力の平均値を前記第１期間における前記負荷電力の平均値より小さくするように、前記駆動回路を制御する音調整機能を実現させる
プログラム。
【発明の詳細な説明】
【技術分野】
【０００１】
本開示は、一般に音響装置、非常用装置、及びプログラムに関する。
【背景技術】
【０００２】
従来例として、特許文献１記載の非常用装置を例示する。特許文献１記載の非常用装置（以下、従来例という。）は、光源の点滅とスピーカから出力される音声とによって視覚的及び聴覚的に避難誘導を行う機能を有する、いわゆる誘導音付誘導灯である。
【０００３】
従来例は、点滅用の光源（キセノンランプ）と、光源用の二次電池から給電されて光源を点滅させる点滅ブロックと、誘導音用の二次電池から給電される電力でスピーカを駆動することにより誘導音を出力させる音声ブロックとを備えている。なお、音声ブロックは、外部から入力する非常信号に応じて誘導音をスピーカから出力する。
【０００４】
音声ブロックは、誘導音（例えば、「避難口はこちらです。」というような音声メッセージ）を出力する音声合成ＬＳＩ（Large-Scale Integration）と、音声合成ＬＳＩの出力（音声信号）を増幅してスピーカを駆動するアンプとを有している。なお、音声ブロックの動作電源は、誘導音用の二次電池（非常用電源）から供給される。
【先行技術文献】
【特許文献】
【０００５】
【特許文献１】特開２００７−６６７３８号公報
【発明の概要】
【発明が解決しようとする課題】
【０００６】
従来例は、非常信号を受けたときに二次電池（電池）を電源として音声ブロックを駆動して、誘導音を出力する。このような装置に対して、電池を電源とした誘導音の出力動作をより長く継続させることが望まれている。
【０００７】
本開示の目的は、電池を電源とした誘導音の出力動作をより長く継続させることができる音響装置、非常用装置、及びプログラムを提供することにある。
【課題を解決するための手段】
【０００８】
本開示の一態様に係る音響装置は、電池を電源とし、スピーカへ負荷電力を供給して前記スピーカから音を出力させる駆動回路と、前記駆動回路を制御して前記負荷電力を調整する制御回路と、を備える。前記駆動回路が前記負荷電力の供給を開始してから所定時間が経過するまでの期間が第１期間であり、前記第１期間以降の所定期間が第２期間である。前記制御回路は、前記第２期間における前記負荷電力の平均値を前記第１期間における前記負荷電力の平均値より小さくするように、前記駆動回路を制御する。
【０００９】
本開示の一態様に係る非常用装置は、上述の音響装置と、電池と、スピーカと、前記音響装置、前記電池、及び前記スピーカのうち少なくとも前記音響装置を収容する筐体と、を備える。
【００１０】
本開示の一態様に係るプログラムは、電池を電源とし、スピーカへ負荷電力を供給して前記スピーカから音を出力させる駆動回路に組み合わされるコンピュータが実行する。前記駆動回路が前記負荷電力の供給を開始してから所定時間が経過するまでの期間が第１期間であり、前記第１期間以降の所定期間が第２期間である。そして、前記プログラムは、前記コンピュータに、前記第２期間における前記負荷電力の平均値を前記第１期間における前記負荷電力の平均値より小さくするように、前記駆動回路を制御する音調整機能を実現させる。
【発明の効果】
【００１１】
以上説明したように、本開示は、電池を電源とした誘導音の出力動作をより長く継続させることができるという効果がある。
【図面の簡単な説明】
【００１２】
【図１】図１は、本開示の一実施形態に係る音響装置を備えた非常用装置の斜視図である。
【図２】図２は、同上の非常用装置の分解斜視図である。
【図３】図３は、同上の音響装置のブロック図を示す。
【図４】図４は、同上の音響装置の第１期間における動作を示すタイムチャートである。
【図５】図５は、同上の音響装置の第２期間における動作を示すタイムチャートである。
【図６】図６は、同上の第２変形例の音響装置の動作を示すタイムチャートである。
【図７】図７は、同上の第３変形例の音響装置の動作を示すタイムチャートである。
【発明を実施するための形態】
【００１３】
以下の実施形態は、一般に音響装置、非常用装置、及びプログラムに関する。より詳細に、以下の実施形態は、電池を電源としてスピーカから音を出力させる音響装置、非常用装置、及びプログラムに関する。
【００１４】
以下、本実施形態の音響装置１、及び非常用装置３について、図１−図４を参照して詳細に説明する。ただし、下記の実施形態において説明する各図は模式的な図であり、各構成要素の大きさや厚さそれぞれの比が必ずしも実際の寸法比を反映しているとは限らない。
【００１５】
本実施形態の非常用装置３は、建物の避難口を表示するための誘導灯器具として実現されている。非常用装置３は、誘導灯信号装置から誘導音指示信号を受けた場合に誘導効果を高めるために、スピーカ２１から誘導音（例えば、警報音及び音声）を出力させるように構成されている。また、非常用装置３は、誘導灯信号装置から点滅指示信号を受けた場合に誘導効果を高めるために点滅光源を点滅させるように構成されている。なお、以下の説明においては、特に断りのない限り、図１に矢印で示す向きにおいて、非常用装置３の上下、左右及び前後の各方向を規定する。
【００１６】
非常用装置３は、図１及び図２に示すように、表示ユニット４、点滅光源ユニット５、駆動装置６、第２蓄電池ブロック７、及び筐体３０などを有している。
【００１７】
筐体３０は、それぞれ長方形の前壁３１、後壁３２及び４つの側壁３３を有する直方体状に形成されている。ただし、本実施形態における筐体３０は、本体３００とプレート３０１で構成されている。本体３００は、前面が開放された箱形に形成されており、筐体３０の後壁３２と４つの側壁３３を構成している。上側の側壁３３には一対の穴３０３が貫通している（図２参照）。
【００１８】
プレート３０１は、四角形の平板状に形成された主部３０１０と、主部３０１０の４つの辺から後方へ立ち上がる４つの側部３０１１とを有している。プレート３０１の主部３０１０は筐体３０の前壁３１を構成している。プレート３０１の４つの側部３０１１は筐体３０の４つの側壁３３の前端部分を構成している。プレート３０１は、一対の取付ばね３０２によって着脱可能に本体３００に取り付けられる。本体３００の前面にプレート３０１が取り付けられることによって筐体３０が構成される。なお、筐体３０（本体３００及びプレート３０１）は、鋼板などの不燃物で形成されている。
【００１９】
筐体３０の内底面（後壁３２の前面）には取付台３５がねじ止めされている。取付台３５は、合成樹脂材料によって前面と下面が開放された箱形に形成されている。表示ユニット４及び駆動装置６は取付台３５に取り付けられた状態で筐体３０内に収容されている。
【００２０】
表示ユニット４は、表示板４０と、光源ブロック４１と、点灯ブロック４２と、第１蓄電池ブロック４３とを有している。
【００２１】
表示板４０は、アクリル樹脂又はポリカーボネート樹脂などの透光性を有する合成樹脂材料によって四角形の板状に形成されている。ただし、表示板４０は、前後方向の厚みを上端から下端に向かって徐々に小さくするように形成されている。表示板４０の前面には避難口を示すピクトグラムが描かれている。
【００２２】
光源ブロック４１は、１つ以上のＬＥＤ（Light Emitting Diode）と、ＬＥＤから放射される光を導光する導光部材と、ＬＥＤ及び導光部材を収容するケース４１０とを備える。ケース４１０の下面には導光部材から出射する光をケース４１０の外に放射するための開口が設けられている。光源ブロック４１は、図２に示すように、取付台３５の上部に取り付けられる。また、表示板４０は、上側面を光源ブロック４１のケース４１０の開口に対向させるようにして取付台３５に取り付けられる。
【００２３】
第１蓄電池ブロック４３は、電気絶縁性を有する合成樹脂製の電池ケースに複数の電池セルを収容して構成されている。電池セルは、ニッケル水素電池のような蓄電池である。第１蓄電池ブロック４３は、取付台３５の右端に収容されている（図２参照）。
【００２４】
点灯ブロック４２は、常用点灯回路と、第１充電回路と、非常用点灯回路と、第１制御回路とを有している。常用点灯回路は、外部電源（例えば、商用の電力系統）から供給される電力でＬＥＤを点灯させる。第１充電回路は、外部電源から供給される電力で第１蓄電池ブロック４３の電池セルを充電する。非常用点灯回路は、外部電源の電力供給が停止した場合、第１蓄電池ブロック４３から放電される電力でＬＥＤを点灯させる。第１制御回路は、外部電源の給電状況を監視し、外部電源から電力供給されているときは常用点灯回路と第１充電回路を動作させるとともに非常用点灯回路を停止させる。また、第１制御回路は、外部電源の電力供給が停止（停電）したときは常用点灯回路と第１充電回路を停止させるとともに非常用点灯回路を動作させる。
【００２５】
さらに、第１制御回路は、第１充電回路を動作させているときに第１表示素子を発光させて充電中であることを表示する。第１制御回路は、第１点検スイッチがオンされている間、常用点灯回路及び第１充電回路を強制的に停止させるとともに非常用点灯回路を強制的に動作させて光源ブロック４１のＬＥＤを点灯させる。第１制御回路は、自己点検スイッチが所定時間（例えば、２秒）以上オンされると自己点検動作を行う。また、第１制御回路は、受光素子において赤外線を通信媒体とする制御信号を受信した場合も自己点検動作を行う。自己点検動作は、規定時間（２０分又は６０分）が経過するまで常用点灯回路及び第１充電回路を強制的に停止させるとともに非常用点灯回路を強制的に動作させて光源ブロック４１のＬＥＤを点灯させる動作である。そして、第１制御回路は、規定時間が経過したら非常用点灯回路を停止させて非常用点灯回路の入力電圧、すなわち、第１蓄電池ブロック４３の電池電圧を測定し、電池電圧の測定値に基づいて第１蓄電池ブロック４３の良否を判定する。第１制御回路は、第１蓄電池ブロック４３を良好と判定した場合に第１表示素子を連続して発光させ、第１蓄電池ブロック４３を不良と判定した場合に第１表示素子を間欠的に発光（点滅）させる。
【００２６】
表示ユニット４は、筐体３０の前壁３１（プレート３０１の主部３０１０）に設けられた四角形状の窓３１０から表示板４０の前面を露出させるようにして筐体３０内に収容される。表示ユニット４は、光源ブロック４１から表示板４０の上面に光を入射させ、表示板４０全体を発光させることにより、表示板４０の前面の輝度を高めてピクトグラムの視認性を高めている。
【００２７】
点滅光源ユニット５は、ＬＥＤからなる点滅光源と、点滅光源（ＬＥＤ）から放射される光の配光を制御するレンズ５５と、点滅光源及びレンズ５５が取り付けられる取付部材５６とを有している。点滅光源ユニット５は、筐体３０の内底面（後壁３２の前面）における下端部分に取付部材５６が固定されることによって筐体３０内に収容されている（図２参照）。ただし、レンズ５５は、筐体３０の下側の側壁３３における長手方向（左右方向）の中央に設けられた挿通穴３４を通して筐体３０の外に突出する。
【００２８】
また、取付部材５６には点滅光源ユニット５だけでなく、第１スイッチブロック５７及び第２スイッチブロック５８が取り付けられている。
【００２９】
第１スイッチブロック５７は、上述した第１点検スイッチ、自己点検スイッチ、第１表示素子、受光素子が実装されたプリント配線板と、プリント配線板を収容する第１ケースと、第１点検スイッチを操作するための第１押釦５７１とを備える。第１ケースは、合成樹脂材料によって直方体形状の箱形に形成されている。第１ケースの下面には、第１押釦５７１が収容される第１操作穴と、第１操作穴よりも径の小さい第２操作穴と、第１表示穴と、第１操作穴とほぼ同径の受光穴とが設けられている。
【００３０】
第１押釦５７１は円柱状に形成されており、上下方向に移動可能な状態で第１操作穴内に収容されている。第１ケース内において第１操作穴と上下方向に対向する位置に、押釦スイッチからなる第１点検スイッチが配置されている。したがって、第１ケースの外から押された第１押釦５７１が第１ケース内に移動し、第１押釦５７１の上端で第１点検スイッチが押操作されてオンする。第１ケース内において第２操作穴と上下方向に対向する位置に、押釦スイッチからなる自己点検スイッチが配置されている。すなわち、自己点検スイッチは、第２操作穴を通して第１ケースの外から挿入される細い工具（例えば、ドライバなど）の先端で押操作されてオンする。第１ケース内において第１表示穴と上下方向に対向する位置に第１表示素子が配置されている。すなわち、第１表示素子の発する光は第１表示穴を通して第１ケースの外に放射される。第１ケース内において受光穴と上下方向に対向する位置に受光素子が配置されている。すなわち、自己点検用のリモートコントローラから送信される制御信号が受光穴を通して受光素子で受光（受信）される。なお、第１点検スイッチ、自己点検スイッチ、第１表示素子及び受光素子は、それぞれ複数の電線によって点灯ブロック４２と電気的に接続されている。
【００３１】
第２スイッチブロック５８は、第２点検スイッチ及び第２表示素子が実装されたプリント配線板と、プリント配線板を収容する第２ケース５８０と、第２点検スイッチを操作するための第２押釦５８１とを備える。第２ケース５８０は、合成樹脂材料によって直方体形状の箱形に形成されている。
【００３２】
第２ケース５８０の下面には、第２押釦５８１が収容される第３操作穴と、第３操作穴よりも径の小さい第２表示穴とが設けられている。第２押釦５８１は円柱状に形成されており、上下方向に移動可能な状態で第３操作穴内に収容されている。第２ケース５８０内において第３操作穴と上下方向に対向する位置に、押釦スイッチからなる第２点検スイッチが配置されている。したがって、第２ケース５８０の外から押された第２押釦５８１が第２ケース５８０内に移動し、第２押釦５８１の上端で第２点検スイッチが押操作されてオンする。第２ケース５８０内において第２表示穴と上下方向に対向する位置に第２表示素子が配置されている。すなわち、第２表示素子の発する光は第２表示穴を通して第２ケース５８０の外に放射される。
【００３３】
筐体３０の下側の側壁３３に、第１スイッチブロック５７の第１ケースの第１操作穴、第２操作穴、第１表示穴及び受光穴、第２スイッチブロック５８の第２ケース５８０の第３操作穴及び第２表示穴と各々一対一に対応した複数の穴３３１〜３３６が設けられている。穴３３１は、第１操作穴と対向している。したがって、第１押釦５７１の先端部分が穴３３１を通して筐体３０の外に突出する。穴３３２は第２操作穴と対向している。穴３３３は第１表示穴と対向している。穴３３４は受光穴と対向している。穴３３５は第３操作穴と対向している。したがって、第２押釦５８１の先端部分が穴３３５を通して筐体３０の外に突出する。穴３３６は第２表示穴と対向している。
【００３４】
第２蓄電池ブロック７は、複数本の乾電池型の電池セルが熱収縮チューブに包まれて構成されている。各電池セルは、ニッケル水素電池のような蓄電池である。第２蓄電池ブロック７は、筐体３０内において取付台３５の左隣に収容されている（図２参照）。また、筐体３０内における第２蓄電池ブロック７の上方に、スピーカ２１が収容されている。筐体３０の前壁３１（プレート３０１の主部３０１０）における窓３１０の左側に、スピーカ２１用の窓３１１が開口している。この窓３１１は、カバー３１２で塞がれている。ただし、カバー３１２は、カバー３１２の厚み方向に貫通する多数の穴を有している。つまり、スピーカ２１から出力される音がカバー３１２を貫通する多数の穴を通して筐体３０の外に放出される。
【００３５】
駆動装置６は、点滅光源ユニット５の点滅光源を駆動する点滅光源駆動回路と、スピーカ２１から誘導音を出力させる音響装置１（図３参照）とを有する。駆動装置６は、更に、点滅光源駆動回路及び音響装置１に電力を供給するための第２蓄電池ブロック７を充電する第２充電回路と、点滅光源駆動回路及び第２充電回路を制御する第２制御回路とを有する。第２制御回路は、信号線を介して誘導灯信号装置から点滅指示信号を受信したとき、点滅光源駆動回路を制御し、第２蓄電池ブロック７から供給される電力で点滅光源を駆動して点滅光源を発光させる。ただし、第２制御回路は、誘導効果を高めるために点滅光源を間欠駆動するように駆動回路を制御する。例えば、第２制御回路は、約５００ｍｓ毎に約５０ｍｓの期間だけ点滅光源を駆動して発光させるように駆動回路を制御することが好ましい。第２充電回路は、外部電源から供給される電力で第２蓄電池ブロック７を充電する。さらに、第２制御回路は、第２充電回路を動作させているときに第２表示素子を発光させて充電中であることを表示する。第２制御回路は、第２点検スイッチがオンされている間、第２充電回路を強制的に停止させるとともに駆動回路を制御して第２蓄電池ブロック７から供給される電力で点滅光源ユニット５の点滅光源を発光させる。
【００３６】
非常用装置３は、壁や天井９などの造営材に取り付けられる。例えば、天井９に上端部分が埋め込まれている２本の吊りボルト９１の各々が、非常用装置３の筐体３０の上方の側壁３３に設けられている一対の穴３０３のそれぞれに挿通され、各吊りボルト９１にナット（図示せず）が締め付けられる。このように非常用装置３は、一対の吊りボルト９１に筐体３０が固定されることで天井９に設置される。
【００３７】
続いて、本実施形態の音響装置１について、図３及び図４を参照して詳細に説明する。
【００３８】
音響装置１は、図３に示すように、電源回路１１と、駆動回路１２と、制御回路１３とを備える。
【００３９】
電源回路１１は、電力変換回路として昇圧チョッパ回路を有するコンバータであり、第２蓄電池ブロック７の電池７０から直流の電池電圧Ｖｉを入力され、電池７０から放電電流Ｉｉを供給される。そして、電源回路１１は、電池電圧Ｖｉを昇圧し、当該昇圧した電圧を直流の駆動電圧Ｖａとして駆動回路１２へ出力するように構成されている。すなわち、電源回路１１は、電池電圧Ｖｉを駆動回路１２の動作に適した駆動電圧Ｖａに電力変換し、駆動回路１２にスピーカ２１を駆動するための電力を供給する。なお、電源回路１１が電力変換回路として昇圧チョッパ回路を有することは必須ではない。例えば、電池７０の構成または電池電圧Ｖｉに応じて、電源回路１１は、電力変換回路として昇降圧チョッパ回路または降圧チョッパ回路などの他の回路を有していてもよい。
【００４０】
駆動回路１２は、例えば、音声アンプ又はスピーカアンプで構成される。駆動回路１２は、駆動電圧Ｖａを入力され、スピーカ２１から誘導音を出力させるための音響信号として、負荷電流Ｉｏをスピーカ２１へ供給する。すなわち、電源回路１１から駆動電圧Ｖａを入力される駆動回路１２は、電池７０を電源としてスピーカ２１を駆動し、スピーカ２１から誘導音を出力させる。
【００４１】
制御回路１３は、駆動回路１２を制御して負荷電流Ｉｏの大きさを調整することで、スピーカ２１から出力される誘導音の音圧レベルを制御できるように構成されている。負荷電流Ｉｏの値が小さくなると、音圧レベルは小さくなり、負荷電流Ｉｏの値が大きくなると、音圧レベルは大きくなる。また、制御回路１３は、駆動回路１２を制御して負荷電流Ｉｏの大きさを調整することで、駆動回路１２からスピーカ２１に供給される電力（負荷電力）を制御できる。負荷電流Ｉｏの値が小さくなると、負荷電力は小さくなり、負荷電流Ｉｏの値が大きくなると、負荷電力は大きくなる。さらに、制御回路１３は、駆動回路１２からスピーカ２１に供給される負荷電力を制御することで、負荷電力の平均値（平均電力）を制御できる。平均電力は、対象期間に駆動回路１２からスピーカ２１へ供給された電力量を対象期間の時間長さで除した値である。
【００４２】
制御回路１３は、コンピュータを備えている。このコンピュータがプログラムを実行することによって、本開示における制御回路１３の一部又は全部の機能が実現される。コンピュータは、プログラムに従って動作するプロセッサを主なハードウェア構成として備える。プロセッサは、プログラムを実行することによって機能を実現することができれば、その種類は問わない。プロセッサは、半導体集積回路（ＩＣ）、又はＬＳＩ（large scale integration）を含む一つ又は複数の電子回路で構成される。ここでは、ＩＣやＬＳＩと呼んでいるが、集積の度合いによって呼び方が変わり、システムＬＳＩ、ＶＬＳＩ(very large scale integration)、若しくはＵＬＳＩ(ultra large scale integration) と呼ばれるものであってもよい。ＬＳＩの製造後にプログラムされる、フィールド・プログラマブル・ゲート・アレイ(FPGA)、又はＬＳＩ内部の接合関係の再構成又はＬＳＩ内部の回路区画のセットアップができる再構成可能な論理デバイスも同じ目的で使うことができる。複数の電子回路は、一つのチップに集積されてもよいし、複数のチップに設けられてもよい。複数のチップは一つの装置に集約されていてもよいし、複数の装置に備えられていてもよい。プログラムは、コンピュータが読み取り可能なＲＯＭ、光ディスク、ハードディスクドライブなどの非一時的記録媒体に記録される。プログラムは、記録媒体に予め格納されていてもよいし、インターネット等を含む広域通信網を介して記録媒体に供給されてもよい。
【００４３】
本実施形態の制御回路１３は、コンピュータを具備するマイクロコントローラ１３１と、音声合成ＬＳＩを具備する音声回路１３２とを備える。なお、マイクロコントローラ１３１、及び音声回路１３２がそれぞれ単独の半導体集積回路で分離して構成される形態と、マイクロコントローラ１３１、及び音声回路１３２が１つの半導体集積回路で一体に構成される形態とのいずれでもよい。
【００４４】
マイクロコントローラ１３１は、誘導灯信号装置から誘導音指示信号を受け取ると制御信号Ｙ１を生成し、制御信号Ｙ１を音声回路１３２へ出力する。制御信号Ｙ１は、音声回路１３２に誘導音の出力動作の内容を指示するための信号であり、この場合、制御信号Ｙ１は、音声回路１３２に誘導音の出力の開始を指示する。
【００４５】
音声回路１３２は、制御信号Ｙ１によって誘導音の出力の開始を指示されると、音声合成処理によって生成された音響信号Ｙ２を駆動回路１２へ出力する。音響信号Ｙ２は、予め決められている誘導音の音響信号である。駆動回路１２は、音声回路１３２から受け取った音響信号Ｙ２を、電源回路１１から供給される駆動電力を用いて増幅する。駆動回路１２は、増幅した音響信号を負荷電流Ｉｏとしてスピーカ２１に供給することで、スピーカ２１から誘導音を出力させるように構成されている。
【００４６】
ここで、駆動回路１２の増幅率が予め決められた所定値になるように、駆動回路１２は構成されている。そして、音響信号Ｙ２の信号レベルが大きいほど、負荷電流Ｉｏの電流値はより大きくなり、誘導音の音圧レベルがより大きくなる。また、音響信号Ｙ２の信号レベルが小さいほど、負荷電流Ｉｏの電流値はより小さくなり、誘導音の音圧レベルがより小さくなる。
【００４７】
そして、本実施形態の制御信号Ｙ１は、誘導音の出力動作の内容として、誘導音の音圧レベルの指示値を音声回路１３２に伝えることができる。そして、音声回路１３２は、音圧レベルの指示値にしたがって音響信号Ｙ２の信号レベルを設定することで、負荷電流Ｉｏの電流値を調整できる。音圧レベルの指示値が大きいほど、音響信号Ｙ２の信号レベルがより大きくなり、負荷電流Ｉｏの電流値がより大きくなって、スピーカ２１から出力される誘導音の音圧レベルはより大きくなる。音圧レベルの指示値が小さいほど、音響信号Ｙ２の信号レベルがより小さくなり、負荷電流Ｉｏの電流値がより小さくなって、スピーカ２１から出力される誘導音の音圧レベルはより小さくなる。また、音圧レベルの指示値が大きいほど、負荷電力がより大きくなり、音圧レベルの指示値が小さいほど、負荷電力がより小さくなる。なお、音響信号Ｙ２の波形、信号レベル、周波数、及び音響信号Ｙ２の出力期間は、負荷電流Ｉｏの波形、電流値、周波数、及び負荷電流Ｉｏの出力期間にそれぞれ対応する。
【００４８】
非常用装置３の音響装置１は、非常時に誘導灯信号装置から誘導音指示信号を受けると、誘導音の出力を開始する。一般に、非常時の音響装置１の動作内容は、規格、又は法令（法律、及び規則など）などによって決められている。
【００４９】
例えば、ＪＩＬ５５０２（一般社団法人日本照明工業会によって制定された規格）によると、誘導音は、２回続けて出力される警報音（１回目の警報音及び２回目の警報音）と、２回続けて出力される音声（１回目の音声及び２回目の音声）とで構成される。警報音は、例えば「ピンポーン」という音であり、音声は、例えば「非常口はこちらです」というメッセージで構成される。そして、誘導音装置は、火災が発生した非常時に火災信号を誘導音指示信号として受けると、警報音を２回出力した後に音声を２回出力する１周期（サイクル）の誘導音の出力動作を、定格時間として規定されている６０分間継続して繰り返すことが求められている。さらに、ＪＩＬ５５０２は、６０分間継続して実行される誘導音の出力動作について、誘導音の音圧レベル、警報音の出力期間の時間長さ、及び音声の出力期間の時間長さがそれぞれの規定値を満たすことを求めている。さらに、ＪＩＬ５５０２は、６０分間継続して実行される誘導音の出力動作について、１回目の警報音と２回目の警報音の時間間隔、２回目の警報音と１回目の音声の時間間隔、１回目の音声と２回目の音声の時間間隔、及び２回目の音声と１回目の警報音の時間間隔がそれぞれの規定値を満たすことを求めている。
【００５０】
上述のように、音響装置１は、非常時において、誘導音の出力動作を開始してから予め決められた定格時間Ｔ１（図４、図５参照）が経過するまで、規格又は法令によって求められている要件（規定値など）を満たす必要がある。すなわち、少なくとも誘導音の出力動作が開始されてから定格時間Ｔ１が経過するまでは、誘導音の出力動作は各規定値を満たさなければならない。なお、定格時間Ｔ１は、６０分以外の所定時間であってもよく、特定の値に限定されない。
【００５１】
そして、従来の音響装置は、規格又は法令によって求められる要件を満たす誘導音の出力動作を、電池の残容量が所定量に低下して誘導音の出力が停止されるまで行っていた。すなわち、従来では、誘導音の出力動作が開始されてから定格時間Ｔ１が経過する前、及び定格時間Ｔ１が経過した後の両方において、誘導音の出力動作は同じであった。
【００５２】
一方、本実施形態では、図４、図５に示すように、誘導音の出力動作が開始された時刻ｔ０から定格時間Ｔ１が経過するまでの期間を第１期間Ｐ１とする。また、第１期間Ｐ１の終了時点である時刻ｔ１から、電池７０の残容量が所定量に低下するまでの期間（電池電圧Ｖｉの電圧値が予め決められた下限値Ｖｓに低下するまでの期間）（所定期間）を第２期間Ｐ２とする。そして、音響装置１は、第１期間Ｐ１における誘導音の出力動作と、第２期間Ｐ２における誘導音の出力動作とを、互いに異ならせている。具体的に、音響装置１は、第２期間Ｐ２における平均電力を、第１期間Ｐ１における平均電力より小さくする。第１期間Ｐ１における平均電力は、第１期間Ｐ１に駆動回路１２からスピーカ２１へ供給された電力量を第１期間Ｐ１の時間長さ（Ｔ１）で除した値である。第２期間Ｐ２における平均電力は、第２期間Ｐ２に駆動回路１２からスピーカ２１へ供給された電力量を第２期間Ｐ２の時間長さで除した値である。
【００５３】
図４は、音響装置１における主に第１期間Ｐ１の各波形を示す。図４の上段は負荷電流Ｉｏの波形を示し、図４の中段は放電電流Ｉｉの波形を示し、図４の下段は電池電圧Ｖｉの波形を示す。
【００５４】
第１期間Ｐ１における負荷電流Ｉｏは、警報音の出力時に流れる負荷電流Ｉｏ１、及び音声の出力時に流れる負荷電流Ｉｏ２を含んでいる。負荷電流Ｉｏ１のピーク値Ｉｐ１は、負荷電流Ｉｏ２のピーク値Ｉｐ２より小さい。そして、負荷電流Ｉｏ１が２回続けてスピーカ２１を流れた後、負荷電流Ｉｏ２が２回続けてスピーカ２１を流れることで、１周期の誘導音の出力動作Ｗ１が行われる。
【００５５】
１つの警報音の出力期間をＴ１１、１つの音声の出力期間をＴ１２とすると、出力期間Ｔ１１に負荷電流Ｉｏ１が流れ、出力期間Ｔ１２に負荷電流Ｉｏ２が流れる。１回目の警報音と２回目の警報音の時間間隔をＴｉ１とすると、１回目の負荷電流Ｉｏ１と２回目の負荷電流Ｉｏ１の時間間隔もＴｉ１になる。２回目の警報音と１回目の音声の時間間隔をＴｉ２とすると、２回目の負荷電流Ｉｏ１と１回目の負荷電流Ｉｏ２の時間間隔もＴｉ２になる。１回目の音声と２回目の音声の時間間隔をＴｉ３とすると、１回目の負荷電流Ｉｏ２と２回目の負荷電流Ｉｏ２の時間間隔もＴｉ３になる。２回目の音声と１回目の警報音の時間間隔をＴｉ４とすると、２回目の負荷電流Ｉｏ２と１回目の負荷電流Ｉｏ１の時間間隔もＴｉ４になる。
【００５６】
そして、音声回路１３２は、誘導音の音圧レベル、出力期間Ｔ１１、Ｔ１２、及び時間間隔Ｔｉ１、Ｔｉ２、Ｔｉ３、Ｔｉ４が規格又は法令によって求められている要件（規定値など）をそれぞれ満たすように構成された音響信号Ｙ２を出力する。例えば、ＪＩＬ５５０２では、出力期間Ｔ１１の時間長の規定値は１０２０ｍｓであり、出力期間Ｔ１２の時間長の規定値は１７００ｍｓである。また、ＪＩＬ５５０２では、時間間隔Ｔｉ１の規定値は２６０ｍｓであり、時間間隔Ｔｉ２の規定値は３００ｍｓであり、時間間隔Ｔｉ３の規定値は６００ｍｓであり、時間間隔Ｔｉ４の規定値は９００ｍｓである。また、音響信号Ｙ２の信号レベル（負荷電流Ｉｏ１、Ｉｏ２の各電流値）は、誘導音の音圧レベルが規定値以上になるように設定されている。
【００５７】
放電電流Ｉｉは、警報音の出力期間Ｔ１１に生じる放電電流Ｉｉ１、及び音声の出力期間Ｔ１２に生じる放電電流Ｉｉ２を含む。放電電流Ｉｉ１のピーク値Ｉｐ１１は、放電電流Ｉｉ２のピーク値Ｉｐ１２より小さい。
【００５８】
第１期間Ｐ１では、誘導音の出力動作が開始された時刻ｔ０直後の電池７０は満充電状態であり、電池電圧Ｖｉは比較的高い電圧値Ｖｉ１である。そして、警報音の出力期間Ｔ１１では、放電電流Ｉｉ１によって電池７０の内部インピーダンスに電圧降下Ｖｄ１が生じることで、電池電圧Ｖｉが低下する。また、音声の出力期間Ｔ１２では、放電電流Ｉｉ２によって電池７０の内部インピーダンスに電圧降下Ｖｄ２が生じることで、電池電圧Ｖｉが低下する。放電電流Ｉｉ２のピーク値Ｉｐ１２は放電電流Ｉｉ１のピーク値Ｉｐ１１より大きいので、電圧降下Ｖｄ２のピーク値は電圧降下Ｖｄ１のピーク値より大きくなる。この結果、音声の出力期間Ｔ１２における電池電圧Ｖｉの電圧値は、警報音の出力期間Ｔ１１における電池電圧Ｖｉの電圧値よりも小さくなる。
【００５９】
そして、時刻ｔ０に誘導音の出力動作が開始された後、電池７０の残容量が減少するにしたがって、電池電圧Ｖｉは低下する。ここで、マイクロコントローラ１３１は、電池電圧Ｖｉの電圧値を表す電圧検出信号Ｙｓを入力される。電圧検出信号Ｙｓは、例えば電池電圧Ｖｉの電圧値が複数の抵抗で分圧されることで生成される。マイクロコントローラ１３１は、電圧検出信号Ｙｓに基づいて、電池電圧Ｖｉの電圧値を監視できる。時刻ｔ０以降、電池７０が放電され続けると、電池電圧Ｖｉが徐々に低下していく。そして、放電による電池電圧Ｖｉの低下、及び電池７０の内部インピーダンスに起因する電圧降下Ｖｄ１、Ｖｄ２によって、電池電圧Ｖｉの電圧値が予め決められた下限値Ｖｓより低くなると、電源回路１１が昇圧動作を停止し、駆動電圧Ｖａが、駆動回路１２の動作可能電圧の下限値よりも低くなる。駆動電圧Ｖａが動作可能電圧の下限値よりも低くなると、駆動回路１２は動作を停止し、負荷電流Ｉｏがゼロになって、スピーカ２１からの誘導音の出力が停止する。また、電池電圧Ｖｉの電圧値が下限値Ｖｓより低くなると、マイクロコントローラ１３１は、制御信号Ｙ１によって音声回路１３２に誘導音の出力動作の停止を指示する。音声回路１３２は、制御信号Ｙ１によって誘導音の出力動作の停止を指示されると、音響信号Ｙ２の出力を停止する。
【００６０】
この場合、第１期間Ｐ１が開始されてから定格時間Ｔ１が経過すると、電池電圧Ｖｉは、電圧値Ｖｉ１から電圧値Ｖｉ２まで低下する。しかしながら、電圧値Ｖｉ２から電圧降下Ｖｄ１、Ｖｄ２の各電圧値を差し引いた値は下限値Ｖｓ以上になるので、誘導音の出力動作は停止しない。
【００６１】
上述のように、第１期間Ｐ１では、誘導音の音圧レベル、出力期間Ｔ１１、Ｔ１２、及び時間間隔Ｔｉ１、Ｔｉ２、Ｔｉ３、Ｔｉ４が規格又は法令によって求められている要件をそれぞれ満たすように、誘導音が出力される。
【００６２】
マイクロコントローラ１３１は、時刻ｔ０からの経過時間を計測することができるタイマ機能を有しており、時刻ｔ０から定格時間Ｔ１が経過した時刻ｔ１で、第１期間Ｐ１に対応する上述の動作を終了し、第２期間Ｐ２に対応する以下の動作を開始する。すなわち、第１期間Ｐ１は時刻ｔ０から定格時間Ｔ１が経過した時刻ｔ１で終了し、時刻ｔ１からは第２期間Ｐ２が開始する。図５は、音響装置１における主に第２期間Ｐ２の各波形を示す。図５の上段は負荷電流Ｉｏの波形を示し、図５の中段は放電電流Ｉｉの波形を示し、図５の下段は電池電圧Ｖｉの波形を示す。
【００６３】
第２期間Ｐ２の誘導音の出力動作は、規格又は法令によって求められている要件を満たす必要がない。そこで、音声回路１３２は、第２期間Ｐ２における誘導音の音圧レベルを、第１期間Ｐ１における誘導音の音圧レベルより小さくする音圧抑制処理を行う。このとき、第２期間Ｐ２における誘導音の音圧レベルを規定値より小さくしてもよい。なお、音圧抑制処理の対象となる音を対象音とすると、本実施形態では、誘導音に含まれる警報音及び音声の両方を対象音とする。
【００６４】
第２期間Ｐ２における負荷電流Ｉｏは、警報音の出力時に流れる負荷電流Ｉｏ３、及び音声の出力時に流れる負荷電流Ｉｏ４を含んでいる。負荷電流Ｉｏ３のピーク値Ｉｐ３は、負荷電流Ｉｏ４のピーク値Ｉｐ４より小さい。そして、負荷電流Ｉｏ３が２回続けてスピーカ２１を流れた後、負荷電流Ｉｏ４が２回続けてスピーカ２１を流れることで、１周期の誘導音の出力動作Ｗ２が行われる。
【００６５】
第２期間Ｐ２における警報音及び音声の各出力期間、及び警報音及び音声の各時間間隔は、第１期間Ｐ１における警報音及び音声の各出力期間、及び警報音及び音声の各時間間隔と同じになる。具体的に、負荷電流Ｉｏ３の出力期間はＴ１１になり、負荷電流Ｉｏ４の出力期間はＴ１２になる。１回目の負荷電流Ｉｏ３と２回目の負荷電流Ｉｏ３の時間間隔はＴｉ１になり、２回目の負荷電流Ｉｏ３と１回目の負荷電流Ｉｏ４の時間間隔はＴｉ２になる。１回目の負荷電流Ｉｏ４と２回目の負荷電流Ｉｏ４の時間間隔はＴｉ３になり、２回目の負荷電流Ｉｏ４と１回目の負荷電流Ｉｏ３の時間間隔はＴｉ４になる。
【００６６】
すなわち、第２期間Ｐ２では、音声回路１３２は、出力期間Ｔ１１、Ｔ１２、及び時間間隔Ｔｉ１、Ｔｉ２、Ｔｉ３、Ｔｉ４が規格又は法令によって求められている要件をそれぞれ満たすように構成された音響信号Ｙ２を出力する。一方で、マイクロコントローラ１３１は、第２期間Ｐ２では、第１期間Ｐ１の音圧レベルより小さい音圧レベルを指示する制御信号Ｙ１を出力する。そして、音声回路１３２は、第２期間Ｐ２における音響信号Ｙ２の信号レベルを、第１期間Ｐ１における音響信号Ｙ２の信号レベルより小さくする。すなわち、負荷電流Ｉｏ３のピーク値Ｉｐ３は、負荷電流Ｉｏ１のピーク値Ｉｐ１より小さくなり、負荷電流Ｉｏ４のピーク値Ｉｐ４は、負荷電流Ｉｏ２のピーク値Ｉｐ２より小さくなる。この結果、第２期間Ｐ２における誘導音の音圧レベルは、第１期間Ｐ１における誘導音の音圧レベルより小さくなり、第２期間Ｐ２における平均電力は、第１期間Ｐ１における平均電力より小さくなる。なお、負荷電流Ｉｏ３及び負荷電流Ｉｏ４の各電流値は、誘導音の音圧レベルが規定値未満になるように設定されてもよい。
【００６７】
第２期間Ｐ２における放電電流Ｉｉは、警報音の出力期間Ｔ１１に生じる放電電流Ｉｉ３、及び音声の出力期間Ｔ１２に生じる放電電流Ｉｉ４を含む。放電電流Ｉｉ３のピーク値Ｉｐ１３は、放電電流Ｉｉ４のピーク値Ｉｐ１４より小さい。また、放電電流Ｉｉ３のピーク値Ｉｐ１３は、放電電流Ｉｉ１のピーク値Ｉｐ１１より小さく、放電電流Ｉｉ４のピーク値Ｉｐ１４は、放電電流Ｉｉ２のピーク値Ｉｐ１２より小さい。この結果、第２期間Ｐ２における放電電力は、第１期間Ｐ１における放電電力より小さくなる。
【００６８】
第２期間Ｐ２の警報音の出力期間Ｔ１１では、放電電流Ｉｉ３によって電池７０の内部インピーダンスに電圧降下Ｖｄ３が生じることで、電池電圧Ｖｉは低下する。また、第２期間Ｐ２の音声の出力期間Ｔ１２では、放電電流Ｉｉ４によって電池７０の内部インピーダンスに電圧降下Ｖｄ４が生じることで、電池電圧Ｖｉは低下する。放電電流Ｉｉ４のピーク値Ｉｐ１４は放電電流Ｉｉ３のピーク値Ｉｐ１３より大きいので、電圧降下Ｖｄ４のピーク値は電圧降下Ｖｄ３のピーク値より大きくなる。
【００６９】
そして、第２期間Ｐ２における電圧降下Ｖｄ３は、第１期間Ｐ１における電圧降下Ｖｄ１より小さく、第２期間Ｐ２における電圧降下Ｖｄ４は、第１期間Ｐ１における電圧降下Ｖｄ２より小さい。この結果、第２期間Ｐ２における電池電圧Ｖｉの電圧値は、下限値Ｖｓ（電源回路１１が動作可能な下限電圧値）より下がりにくくなる。
【００７０】
上述のように、第１期間Ｐ１では、音圧レベル、出力期間Ｔ１１、Ｔ１２、及び時間間隔Ｔｉ１、Ｔｉ２、Ｔｉ３、Ｔｉ４が規格又は法令によって求められている要件をそれぞれ満たすように、誘導音が出力される。一方、第２期間Ｐ２では、音圧レベルを第１期間Ｐ１に比べて低下させることで、第２期間Ｐ２の負荷電流Ｉｏを、第１期間Ｐ１の負荷電流Ｉｏより減少させる。この結果、第２期間Ｐ２における平均電力は、第１期間Ｐ１における平均電力より小さくなり、第２期間Ｐ２における誘導音の出力動作を従来よりも長く継続させることができる。
【００７１】
また、第２期間Ｐ２の放電電流Ｉｉのピーク値は、第１期間Ｐ１の放電電流Ｉｉのピーク値より減少するため、電池７０の内部インピーダンスに起因する電圧降下も、第２期間Ｐ２では第１期間Ｐ１に比べて減少する。この結果、第２期間Ｐ２では、電池７０の残容量が少なくなって電池電圧Ｖｉが低下しても、下限値Ｖｓに対する電池電圧Ｖｉの余裕が生じることで、第２期間Ｐ２における誘導音の出力動作を従来よりも長く継続させることができる。
【００７２】
したがって、音響装置１は、電池７０を電源とした誘導音の出力動作をより長く継続させることができる。
【００７３】
上述の実施形態は、本開示の様々な実施形態の一つに過ぎない。上述の実施形態は、本開示の目的を達成できれば、設計等に応じてさらなる種々の変更が可能である。以下、上述の実施形態の変形例を列挙する。以下に説明する変形例は、適宜組み合わせて適用可能である。
【００７４】
（第１変形例）
第１変形例の音響装置１及び非常用装置３の各構成は、上述の実施形態と同様に図１−図３で示される。なお、上述の実施形態と同様の構成には同一の符号を付して、説明は省略する。
【００７５】
マイクロコントローラ１３１は、電圧検出信号Ｙｓに基づいて電池電圧Ｖｉの電圧値を監視しており、第２期間Ｐ２では電池電圧Ｖｉの電圧値に応じた誘導音の出力動作の内容を指示する制御信号Ｙ１を生成してもよい。第２期間Ｐ２では、時間の経過に伴って電池電圧Ｖｉが低下する。そこで、マイクロコントローラ１３１は、第２期間Ｐ２では、電池電圧Ｖｉの電圧値がより低くなると、誘導音の音圧レベルがより低くなるように制御信号Ｙ１を生成する。
【００７６】
例えば、マイクロコントローラ１３１は、電池電圧Ｖｉの電圧値と音圧レベルの指示値との対応関係を表す数式又はデータテーブルを予め記憶している。電池電圧Ｖｉの電圧値と音圧レベルの指示値との対応関係は、電池電圧Ｖｉの電圧値が小さくなるにつれて音圧レベルの指示値が減少する関係になる。そして、マイクロコントローラ１３１は、第２期間Ｐ２では、電池電圧Ｖｉの電圧値に対応する音圧レベルの指示値を伝える制御信号Ｙ１を生成する。
【００７７】
したがって、音響装置１は、第２期間Ｐ２における平均電力をさらに小さくすることができ、第２期間Ｐ２における誘導音の出力動作をさらに長く継続させることができる。
【００７８】
（第２変形例）
第２変形例の音響装置１及び非常用装置３の各構成は、上述の実施形態と同様に図１−図３で示される。なお、上述の実施形態と同様の構成には同一の符号を付して、説明は省略する。
【００７９】
音圧抑制処理は、誘導音に含まれる複数の音の全てを対象音とせずに、誘導音に含まれる一部の音のみを対象音としてもよい。この場合、誘導音に含まれる複数の音のうち、音圧レベルの規定値が最も大きい音を対象音に含むことが好ましい。
【００８０】
そこで、第２変形例の制御回路１３は、誘導音に含まれる警報音及び音声のうち、音声を対象音とし、警報音を非対象音とする。音声回路１３２は、第２期間Ｐ２における対象音である音声の音圧レベルを、第１期間Ｐ１における音声の音圧レベルより小さくする。また、音声回路１３２は、第２期間Ｐ２における非対象音である警報音の音圧レベルを、第１期間Ｐ１における警報音の音圧レベルと同じにする。
【００８１】
図６は、第２変形例の音響装置１における主に第２期間Ｐ２の各波形を示す。図６の上段は負荷電流Ｉｏの波形を示し、図６の中段は放電電流Ｉｉの波形を示し、図６の下段は電池電圧Ｖｉの波形を示す。
【００８２】
第２期間Ｐ２における負荷電流Ｉｏは、警報音の出力時に流れる負荷電流Ｉｏ１、及び音声の出力時に流れる負荷電流Ｉｏ４を含んでいる。そして、負荷電流Ｉｏ１が２回続けてスピーカ２１を流れた後、負荷電流Ｉｏ４が２回続けてスピーカ２１を流れることで、１周期の誘導音の出力動作Ｗ３が行われる。
【００８３】
すなわち、第２期間Ｐ２では、誘導音に含まれる複数の音（警報音及び音声）のうち、規定値がより高い音声の音圧レベルが第１期間Ｐ１に比べて低下する。この結果、第２期間Ｐ２における電池電圧Ｖｉの電圧値が下限値Ｖｓより下がる可能性を低減し、かつ誘導音の音圧レベルの低下を抑制できる。
【００８４】
（第３変形例）
第３変形例の音響装置１及び非常用装置３の各構成は、上述の実施形態と同様に図１−図３で示される。なお、上述の実施形態と同様の構成には同一の符号を付して、説明は省略する。
【００８５】
第３変形例のマイクロコントローラ１３１が出力する制御信号Ｙ１は、誘導音の出力動作の内容として、誘導音の出力周期（警報音及び音声の各時間間隔）の指示値を音声回路１３２に伝えることができるように構成されている。そして、音声回路１３２は、出力周期の指示値にしたがって、音響信号Ｙ２の出力周期を設定する。この結果、音響信号Ｙ２の出力周期が設定され、負荷電流Ｉｏの出力周期が調整され、スピーカ２１から出力される誘導音の出力周期が制御される。また、マイクロコントローラ１３１は、負荷電流Ｉｏの出力周期を調整することで、平均電力を制御できる。
【００８６】
そして、第３変形例の制御回路１３は、第２期間Ｐ２における誘導音の出力周期を第１期間Ｐ１における誘導音の出力周期より長くするように、駆動回路１２を制御する。図７は、第３変形例の音響装置１における主に第２期間Ｐ２の各波形を示す。図７の上段は負荷電流Ｉｏの波形を示し、図７の中段は放電電流Ｉｉの波形を示し、図７の下段は電池電圧Ｖｉの波形を示す。
【００８７】
第２期間Ｐ２における警報音及び音声の各出力期間は、第１期間Ｐ１における警報音及び音声の各出力期間と同じになる。具体的に、負荷電流Ｉｏ１の出力期間はＴ１１になり、負荷電流Ｉｏ２の出力期間はＴ１２になる。
【００８８】
しかしながら、第２期間Ｐ２における警報音及び音声の各時間間隔は、第１期間Ｐ１における警報音及び音声の各時間間隔より長くなる。具体的に、１回目の負荷電流Ｉｏ１と２回目の負荷電流Ｉｏ１の時間間隔はＴｉ１１になり、２回目の負荷電流Ｉｏ１と１回目の負荷電流Ｉｏ２の時間間隔はＴｉ１２になる。１回目の負荷電流Ｉｏ２と２回目の負荷電流Ｉｏ２の時間間隔はＴｉ１３になり、２回目の負荷電流Ｉｏ２と１回目の負荷電流Ｉｏ１の時間間隔はＴｉ１４になる。
【００８９】
そして、時間間隔Ｔｉ１１、Ｔｉ１２、Ｔｉ１３、Ｔｉ１４は、Ｔｉ１１＞Ｔｉ１、Ｔｉ１２＞Ｔｉ２、Ｔｉ１３＞Ｔｉ３、Ｔｉ１４＞Ｔｉ４の関係になるようにそれぞれ設定されている。したがって、第３変形例の第２期間Ｐ２における誘導音の出力動作Ｗ４の周期は、第１期間Ｐ１における誘導音の出力動作Ｗ１（図４参照）の周期よりも長くなる。この結果、第２期間Ｐ２における平均電力は、第１期間Ｐ１における平均電力より小さくなる。
【００９０】
したがって、音響装置１は、第２期間Ｐ２における誘導音の出力動作を従来よりも長く継続させることができる。すなわち、音響装置１は、電池７０を電源とした誘導音の出力動作をより長く継続させることができる。
【００９１】
また、マイクロコントローラ１３１は、第２期間Ｐ２では、電池電圧Ｖｉの電圧値が低くなる程、誘導音の出力動作Ｗ４の周期がより長くなるように制御信号Ｙ１を生成してもよい。
【００９２】
例えば、マイクロコントローラ１３１は、電池電圧Ｖｉの電圧値と誘導音の出力動作Ｗ４の周期との対応関係を表す数式又はデータテーブルを予め記憶している。電池電圧Ｖｉの電圧値と音圧レベルとの対応関係は、電池電圧Ｖｉの電圧値が小さくなるにつれて誘導音の出力動作Ｗ４の周期が長くなる関係になる。そして、マイクロコントローラ１３１は、第２期間Ｐ２では、電池電圧Ｖｉの電圧値に対応する出力動作Ｗ４の周期を指示する制御信号Ｙ１を生成する。
【００９３】
したがって、音響装置１は、第２期間Ｐ２における平均電力をさらに小さくすることができ、第２期間Ｐ２における誘導音の出力動作をさらに長く継続させることができる。
【００９４】
なお、上述の実施形態及び各変形例のそれぞれにおいて音声回路１３２を省略し、マイクロコントローラ１３１は、駆動回路１２に制御信号Ｙ１を出力してもよい。この場合、駆動回路１２は、制御信号Ｙ１に基づいて増幅率又は出力の周期を可変とすることで、スピーカ２１からの誘導音の出力動作を調整することができる。
【００９５】
上述の実施形態及び各変形例のそれぞれでは、制御回路１３（マイクロコントローラ１３１）は、誘導灯信号装置からの誘導音指示信号をトリガとして、誘導音の出力動作を開始している。つまり、所定の条件は、誘導灯信号装置から誘導音指示信号を受信することであるが、これに限定する趣旨ではない。例えば、制御回路１３は、外部電源の停電を自動的に検知することで得られる情報など、誘導音指示信号以外の情報を取得することを所定の条件として、誘導音の出力動作を開始してもよい。
【００９６】
上述の実施形態及び各変形例のそれぞれでは、非常用装置３は、表示ユニット４及び点滅光源ユニット５の両方を備えているが、これに限定する趣旨ではない。例えば、非常用装置３は、表示ユニット４及び点滅光源ユニット５のうち少なくとも一方を備えていなくてもよい。更に言えば、非常用装置３は、音響装置１のみを備え、表示ユニット４及び点滅光源ユニット５をいずれも備えていなくてもよい。
【００９７】
以上述べたように、第１の態様に係る音響装置（１）は、電池（７０）を電源とし、スピーカ（２１）へ負荷電力を供給してスピーカ（２１）から音（誘導音）を出力させる駆動回路（１２）と、駆動回路（１２）を制御して負荷電力を調整する制御回路（１３）と、を備える。駆動回路（１２）が負荷電力の供給を開始してから所定時間（Ｔ１）が経過するまでの期間が第１期間（Ｐ１）であり、第１期間（Ｐ１）以降の所定期間が第２期間（Ｐ２）である。制御回路（１３）は、第２期間（Ｐ２）における負荷電力の平均値を第１期間（Ｐ１）における負荷電力の平均値より小さくするように、駆動回路（１２）を制御する。
【００９８】
上述の音響装置（１）は、電池（７０）を電源とした誘導音の出力動作をより長く継続させることができる。
【００９９】
第２の態様に係る音響装置（１）では、第１の態様において、音には対象音が含まれていることが好ましい。制御回路（１３）は、第２期間（Ｐ２）における対象音の音圧レベルを、第１期間（Ｐ１）における対象音の音圧レベルより小さくするように、駆動回路（１２）を制御する。
【０１００】
上述の音響装置（１）は、第２期間（Ｐ２）における平均電力を小さくすることができ、第２期間（Ｐ２）における誘導音の出力動作を長く継続させることができる。
【０１０１】
第３の態様に係る音響装置（１）では、第２の態様において、制御回路（１３）は、第２期間（Ｐ２）において、電池（７０）の残容量が少ないほど、対象音の音圧レベルを減少させることが好ましい。
【０１０２】
上述の音響装置（１）は、第２期間（Ｐ２）における平均電力をさらに小さくすることができ、第２期間（Ｐ２）における誘導音の出力動作をさらに長く継続させることができる。
【０１０３】
第４の態様に係る音響装置（１）では、第２又は第３の態様において、音は、対象音である音声と、非対象音である警報音とを含むことが好ましい。
【０１０４】
上述の音響装置（１）は、第２期間（Ｐ２）における平均電力をさらに小さくすることができ、第２期間（Ｐ２）における誘導音の出力動作をさらに長く継続させることができる。
【０１０５】
第５の態様に係る音響装置（１）では、第１の態様において、制御回路（１３）は、スピーカ（２１）から音を間欠的に出力させる。そして、制御回路（１３）は、第２期間（Ｐ２）における音の出力周期を第１期間（Ｐ１）における出力周期より長くするように、駆動回路（１２）を制御することが好ましい。
【０１０６】
上述の音響装置（１）は、第２期間（Ｐ２）における平均電力を小さくすることができ、第２期間（Ｐ２）における誘導音の出力動作を長く継続させることができる。
【０１０７】
第６の態様に係る音響装置（１）では、第５の態様において、制御回路（１３）は、第２期間（Ｐ２）において、電池（７０）の残容量が少ないほど、出力周期を長くすることが好ましい。
【０１０８】
上述の音響装置（１）は、第２期間（Ｐ２）における平均電力をさらに小さくすることができ、第２期間（Ｐ２）における誘導音の出力動作をさらに長く継続させることができる。
【０１０９】
第７の態様に係る非常用装置（３）は、第１乃至第６のいずれか一つの音響装置（１）と、電池（７０）と、スピーカ（２１）と、音響装置（１）、電池（７０）、及びスピーカ（２１）のうち少なくとも音響装置（１）を収容する筐体（３０）と、を備える。
【０１１０】
上述の非常用装置（３）は、電池（７０）を電源とした誘導音の出力動作をより長く継続させることができる。
【０１１１】
第８の態様に係るプログラムは、電池（７０）を電源とし、スピーカ（２１）へ負荷電力を供給してスピーカ（２１）から音（誘導音）を出力させる駆動回路（１２）に組み合わされるコンピュータが実行する。駆動回路（１２）が負荷電力の供給を開始してから所定時間（Ｔ１）が経過するまでの期間が第１期間（Ｐ１）であり、第１期間（Ｐ１）以降の所定期間が第２期間（Ｐ２）である。そして、プログラムは、コンピュータに、第２期間（Ｐ２）における負荷電力の平均値を第１期間（Ｐ１）における負荷電力の平均値より小さくするように、駆動回路（１２）を制御する音調整機能を実現させる。
【０１１２】
上述のプログラムは、電池（７０）を電源とした誘導音の出力動作をより長く継続させることができる。
【０１１３】
なお、上述の実施形態及び各変形例は本開示の一例である。このため、本開示は、上述の実施形態及び各変形例に限定されることはなく、これらの実施形態及び各変形例以外であっても、本開示に係る技術的思想を逸脱しない範囲であれば、設計等に応じて種々の変更が可能であることは勿論である。
【符号の説明】
【０１１４】
１  音響装置
３  非常用装置
１２  駆動回路
１３  制御回路
２１  スピーカ
３０  筐体
７０  電池
Ｔ１  定格時間（所定時間）
Ｐ１  第１期間
Ｐ２  第２期間
【図１】
2020004129.tif 000003
【図２】
2020004129.tif 000004
【図３】
2020004129.tif 000005
【図４】
2020004129.tif 000006
【図５】
2020004129.tif 000007
【図６】
2020004129.tif 000008
【図７】
2020004129.tif 000009